(57)【要約】【課題】コンパクトに収納可能なドラムボックスを提供する。【解決手段】線材を巻回するドラム２を収容するドラムボックスであって、上面視で矩形状に形成され、ドラム２が載置されるパレット３と、パレット３に載置され、ドラム２の側面を覆うように設けられる角筒状のスリーブ４と、スリーブ４のパレット３と反対側の開口を塞ぐように設けられるキャップ５と、を備え、スリーブ４は、収納時に、パレット３とキャップ５の間に収まるように折り畳み可能に構成されているドラムボックスである。【選択図】図１
2015016872.tif 000002
【特許請求の範囲】
【請求項１】
線材を巻回するドラムを収容するドラムボックスであって、
上面視で矩形状に形成され、前記ドラムが載置されるパレットと、
前記パレットに載置され、前記ドラムの側面を覆うように設けられる角筒状のスリーブと、
前記スリーブの前記パレットと反対側の開口を塞ぐように設けられるキャップと、を備え、
前記スリーブは、収納時に、前記パレットとキャップの間に収まるように折り畳み可能に構成されている
ことを特徴とするドラムボックス。
【請求項２】
前記スリーブの高さは、前記パレットの少なくとも１辺よりも小さく形成される
請求項１記載のドラムボックス。
【請求項３】
前記スリーブには、収納時に折り畳む位置に折り目が形成されている
請求項１または２記載のドラムボックス。
【請求項４】
前記ドラムの回転止め用の根止め材を備え、
該根止め材は、面ファスナーにより前記パレットに固定されるように構成されている
請求項１〜３いずれかに記載のドラムボックス。
【請求項５】
前記スリーブが、上面視でコ字状の２つの分割スリーブから構成される
請求項１〜４いずれかに記載のドラムボックス。
【発明の詳細な説明】
【技術分野】
【０００１】
本発明は、ドラムを収容するドラムボックスに関するものである。
【背景技術】
【０００２】
電線や光ファイバ、繊維等の線材は、ドラム（ボビン）に巻回されて運搬されるのが一般的である。
【０００３】
従来、ドラムをトラック等で運搬する際には、トラックに搭載されたコンテナ内にドラムを並べて運搬していた。
【０００４】
なお、この出願の発明に関連する先行技術文献情報としては、特許文献１がある。
【先行技術文献】
【特許文献】
【０００５】
【特許文献１】特開平１０−２４５１５８号公報
【発明の概要】
【発明が解決しようとする課題】
【０００６】
しかしながら、ドラムをそのままコンテナに収容する方法では、ドラムを上方向に段積みすることができないため、コンテナの上部のスペースが無駄になってしまい、積載効率が悪いという問題があった。
【０００７】
そこで、本発明者らは、ドラムを箱（ドラムボックスという）に収容して段積み可能とし、積載効率を改善することを考えた。ドラムを収容するドラムボックスは、ドラムを荷下ろしした後にコンテナに別の荷物を積み込めるようにしたり、あるいは、収納の際に倉庫等の占有スペースを小さくするために、コンパクトに収納可能であることが望まれる。
【０００８】
そこで、本発明の目的は、上記課題を解決し、コンパクトに収納可能なドラムボックスを提供することにある。
【課題を解決するための手段】
【０００９】
本発明は上記目的を達成するために創案されたものであり、線材を巻回するドラムを収容するドラムボックスであって、上面視で矩形状に形成され、前記ドラムが載置されるパレットと、前記パレットに載置され、前記ドラムの側面を覆うように設けられる角筒状のスリーブと、前記スリーブの前記パレットと反対側の開口を塞ぐように設けられるキャップと、を備え、前記スリーブは、収納時に、前記パレットとキャップの間に収まるように折り畳み可能に構成されているドラムボックスである。
【００１０】
前記スリーブの高さは、前記パレットの少なくとも１辺よりも小さく形成されてもよい。
【００１１】
前記スリーブには、収納時に折り畳む位置に折り目が形成されていてもよい。
【００１２】
前記ドラムの回転止め用の根止め材を備え、該根止め材は、面ファスナーにより前記パレットに固定されるように構成されていてもよい。
【００１３】
前記スリーブが、上面視でコ字状の２つの分割スリーブから構成されてもよい。
【発明の効果】
【００１４】
本発明によれば、コンパクトに収納可能なドラムボックスを提供できる。
【図面の簡単な説明】
【００１５】
【図１】本発明の一実施の形態に係るドラムボックスを示す図であり、（ａ）は分解斜視図および斜視図、（ｂ）は収納時の分解斜視図および斜視図である。
【図２】図１のドラムボックスに用いるパレットの上面図である。
【図３】（ａ），（ｂ）は、図１のドラムボックスにおいて、ラッシングベルトの設置を説明する図である。
【図４】本発明のドラムボックスを用いてドラムを積載した際の斜視図である。
【図５】本発明の他の実施の形態に係るドラムボックスの分解斜視図である。
【図６】図５のドラムボックスの収納時の分解斜視図および斜視図である。
【図７】本発明の一変形例に係るドラムボックスの分解斜視図である。
【発明を実施するための形態】
【００１６】
以下、本発明の実施の形態を添付図面にしたがって説明する。
【００１７】
図１は、本実施の形態に係るドラムボックスを示す図であり、（ａ）は分解斜視図および斜視図、（ｂ）は収納時の分解斜視図および斜視図である。
【００１８】
図１（ａ），（ｂ）に示すように、ドラムボックス１は、電線や光ファイバ、繊維等の線材を巻回するドラム（ボビン）２を収容するものであり、上面視で矩形状に形成され、ドラム２が載置されるパレット３と、パレット３に載置され、ドラム２の側面を覆うように設けられる角筒状のスリーブ４と、スリーブ４のパレット３と反対側の開口を塞ぐように設けられるキャップ（蓋）５と、を備えている。
【００１９】
ドラム２は、例えば木材からなり、対向配置された２つの円板状の鍔部２ａを円柱状の軸部２ｂで連結した構造となっており、軸部２ｂの周囲に線材（図示せず）を巻回するように構成されている。
【００２０】
パレット３は、例えば木材からなり、角木材や板材等を組み合わせて構成される。本実施の形態では、パレット３は、上面視で長方形状に形成されている。
【００２１】
図１および図２に示すように、パレット３の上面には、パレット３の上面視における外形よりも若干小さい外形（短辺、長辺ともに若干小さい外形）の上板３ａが設けられており、周縁部に段差が形成されている。この段差に沿うように、スリーブ４が配置されることになる。
【００２２】
上板３ａの上面には、ドラム２を軸方向の両側から挟み込むように、２つのドラム位置ずれ防止部材３ｂが設けられている。ドラム位置ずれ防止部材３ｂは、角木材からなり、ドラム２の鍔部２ａの下端部に干渉してドラム２の軸方向外側への動きを規制するようになっている。２つのドラム位置ずれ防止部材３ｂは、平行に配置されている。
【００２３】
ドラムボックス１は、ドラム２の回転止め用の根止め材６をさらに備えている。根止め材６は、横断面視で三角形状に形成され、面ファスナー７，８によりパレット３に固定されるように構成されている。本実施の形態では、根止め材６の底面の両側部に面ファスナー７を設けると共に、ドラム位置ずれ防止部材３ｂの上面に面ファスナー８を設け、ドラム位置ずれ防止部材３ｂに面ファスナー７，８により根止め材６を固定するようにした。
【００２４】
根止め材６は、平行配置された２つのドラム位置ずれ防止部材３ｂ間に掛け渡されるように配置される。根止め材６は、ドラム２を挟み込むように２つ設けられる。ドラムボックス１では、根止め材６を固定する位置を調整することで、様々な大きさのドラム２に対応可能となっている。
【００２５】
ドラム位置ずれ防止部材３ｂよりも内側の上板３ａには、そのドラム位置ずれ防止部材３ｂの長手方向における中央部に穴３ｃが形成されており、この穴３ｃにドラム２の鍔部２ａを収容することで、ドラム２の位置決めがなされるようになっている。
【００２６】
また、ドラムボックス１は、ドラム２の上部に取りつけられる天固定材９をさらに備えている。図３に示すように、ドラム２はラッシングベルト３１によりパレット３に締結固定されるが、天固定材９は、ラッシングベルト３１によりドラム２に巻回した線材が損傷しないように、ラッシングベルト３１とドラム２（ドラム２に巻回された線材）との間に配置される。天固定材９は、例えばゴムスポンジからなる。
【００２７】
スリーブ４およびキャップ５は、例えばダンボールからなる。ドラムボックス１は再利用可能であるため、再利用に耐えることができるように、スリーブ４およびキャップ５として強化ダンボールからなるものを用いることがより望ましい。
【００２８】
キャップ５は、下方が開口した箱状に形成されており、その開口部にスリーブ４の上部を収容することで、スリーブ４の上方の開口を塞ぐようになっている。ここでは、スリーブ４は、パレット３の形状に合わせて、上面視で長方形状の筒状に形成され、上板３ａの周縁に沿ってパレット３の上面に載置される。
【００２９】
ドラム２を載置したパレット３にスリーブ４を載置し、スリーブ４の上部にキャップを被せた後、パレット３とスリーブ４とキャップ５とを荷造り紐１０で締結固定すれば、ドラム２の梱包が完了する。
【００３０】
さて、本実施の形態に係るドラムボックス１では、スリーブ４は、収納時に、パレット３とキャップ５の間に収まるように折り畳み可能に構成されている。
【００３１】
収納時にパレット３とキャップ５の間に収まるように、スリーブ４の高さＡは、パレット３の少なくとも１辺よりも小さく（つまり最も長い辺である長辺の長さＢよりも小さく）形成される。
【００３２】
本実施の形態では、スリーブ４の高さＡが、パレット３の長辺の長さＢより小さく、パレット３の短辺の長さＣよりも大きいため、収納時には、スリーブ４の短辺を構成する面４ａを上下面とし、スリーブ４の長辺を構成する面４ｂを蛇腹状に折り曲げて、スリーブ４を折り畳むように構成した。
【００３３】
スリーブ４の長辺を構成する面４ｂには、その収納時に折り畳む位置に折り目１１が形成されている。ここで、折り目１１とは、折り曲げ作業を容易とするためにスリーブ４に高さ方向に沿って形成された溝状の肉薄部分のことである。
【００３４】
なお、スリーブ４の高さＡがパレット３の短辺の長さＣよりも小さい場合には、収納時にスリーブ４の長辺を構成する面４ｂを上下面とし、スリーブ４の短辺を構成する面４ａを蛇腹状に折り曲げて、スリーブ４を折り畳むように構成することも勿論可能である。
【００３５】
収納時には、パレット３の２つのドラム位置ずれ防止部材３ｂ間に、根止め材６と天固定材９とが収納され、その上方に折り畳んだスリーブ４が収納され、その全体を覆うようにキャップ５が配置される。その後、パレット３とキャップ５とを荷造り紐１０で締結固定すれば、収納時のコンパクト化が完了する。
【００３６】
なお、図１（ｂ）では、ドラム２の固定時と収納時とで天固定材９の向きを変えているが、天固定材９の向きは天固定材９の大きさ等に応じて適宜変更可能であり、同じ向きのままでもよい。
【００３７】
ドラムボックス１を用いて運搬を行う際には、図４に示すように、コンテナ４１内にドラム２を収容したドラムボックス１を段積みして運搬を行うとよい。なお、ここではドラムボックス１を上下方向に２段積み上げた場合を示しているが、コンテナ４１の大きさやドラムボックス１の大きさに応じて、３段以上に積み上げてもよい。
【００３８】
以上説明したように、本実施の形態に係るドラムボックス１では、スリーブ４は、収納時に、パレット３とキャップ５の間に収まるように折り畳み可能に構成されている。
【００３９】
このように構成することで、使用しない時にはコンパクトに収納することが可能になる。また、ドラム２を荷下ろしした後にコンテナ４１に別の荷物を積み込めるようにスペースを確保したり、あるいは、収納の際に倉庫等の占有スペースを小さくすることが可能になる。
【００４０】
また、収納時にパレット３とキャップ５の間に全ての部品を収容できるため、部品をひとまとめにして部品の紛失を抑制できる。
【００４１】
さらに、ドラムボックス１をコンパクトに収納可能に構成することで、運搬する度にスペースを確保するためにドラムボックス１を破棄する、といったこともなくなり、ドラムボックス１を有効に再利用し、資源の無駄を抑制することができる。
【００４２】
ドラムボックス１を用いてドラム２の運搬を行うことで、ドラム２を段積みして運搬することが可能になり、コンテナ４１の上部のスペースを有効活用して、積載効率を向上させることが可能になる。
【００４３】
次に、本発明の他の実施の形態を説明する。
【００４４】
図５，６に示すドラムボックス５１は、基本的には図１のドラムボックス１と同じ構造であり、スリーブ４が２分割構造となっている点が異なっている。
【００４５】
ドラムボックス５１では、スリーブ４が、上面視でコ字状の２つの分割スリーブ５２から構成されている。両分割スリーブ５２は、その長辺を構成する面４ｂを重ね合わせることで組み合わされ、全体として角筒状のスリーブ４になるように構成されている。
【００４６】
なお、両分割スリーブ５２を、その短辺を構成する面４ａを重ね合わせるように構成することも勿論可能である。また、ドラムボックス５１では、両分割スリーブ５２の長辺を構成する面４ｂの全体を重ね合わせるようにしているが、一部のみを重ね合わせるように構成することも可能である。
【００４７】
ドラム２が大型の場合、ドラム２の上方からスリーブ４を通すことが困難となる場合があるが、ドラムボックス５１では、分割スリーブ５２をドラム２の側方から配置することができるので、スリーブ４を配置する作業を容易とすることができる。
【００４８】
本発明は上記実施の形態に限定されるものではなく、本発明の趣旨を逸脱しない範囲で種々の変更を加え得ることは勿論である。
【００４９】
例えば、上記実施の形態では、ドラム２を１つのみ収容する場合を説明したが、図７に示すドラムボックス７１のように、ドラム２を２つ収容するように構成してもよい。同様に、ドラム２を２つ以上収容するようにドラムボックスを構成することも当然に可能である。さらに、複数のドラム２を収容する場合、各ドラム２の大きさに応じて根止め材６の位置を変更することで、１つのドラムボックス内に異なる大きさのドラム２を収容することも可能である。
【００５０】
また、上記実施の形態では、スリーブ４に折り目１１を形成する場合を説明したが、スリーブ４を２分割構成とする場合には、角の部分で折り曲げる（例えばＺ字状に折り曲げる）のみでパレット３とキャップ５の間にスリーブ４が収まるならば、折り目１１を省略することが可能である。
【００５１】
また、上記実施の形態では、スリーブ４の１つの面に折り目１１を１箇所形成する場合を説明したが、スリーブ４の１つの面に折り目１１を複数箇所形成してもよい。蛇腹状に折り畳むためには、面を偶数等分するように奇数箇所の折り目１１を形成すればよい。
【００５２】
また、上記実施の形態では、上面視で長方形状のパレット３を用いる場合を説明したが、正方形状のパレット３を用いるようにしてもよい。この場合、上面視が正方形状の角筒状のスリーブ４を用いることになる。
【符号の説明】
【００５３】
１  ドラムボックス
２  ドラム
３  パレット
４  スリーブ
５  キャップ
【図１】
2015016872.tif 000003
【図２】
2015016872.tif 000004
【図３】
2015016872.tif 000005
【図４】
2015016872.tif 000006
【図５】
2015016872.tif 000007
【図６】
2015016872.tif 000008
【図７】
2015016872.tif 000009